(57)【要約】      （修正有）【課題】セットアップを簡便に行うことができる情報処理装置及びセットアップ方法を提供する。【解決手段】情報処理装置１は、セットアップの手順を記述するセットアップ手順であって、少なくとも汎用ＯＳ（オペレーティングシステム）５１を使用する際に必要とするユーザアカウント情報ＡＣ１を生成するアカウント生成処理を含むセットアップ手順を記憶する手順記憶部５３と、初期状態の汎用ＯＳ５１を最初に起動する際に、手順記憶部５３が記憶するセットアップ手順に基づいて、アカウント生成処理を含む自装置１のセットアップ処理を実行するセットアップ処理部５４とを備える。【選択図】図２
2020113127.tif 000002
【特許請求の範囲】
【請求項１】
セットアップの手順を記述するセットアップ手順であって、少なくとも汎用ＯＳ（オペレーティングシステム）を使用する際に必要とするユーザアカウント情報を生成するアカウント生成処理を含むセットアップ手順を記憶する手順記憶部と、
初期状態の前記汎用ＯＳを最初に起動する際に、前記手順記憶部が記憶する前記セットアップ手順に基づいて、前記アカウント生成処理を含む自装置のセットアップ処理を実行するセットアップ処理部と
を備える情報処理装置。
【請求項２】
前記初期状態の前記汎用ＯＳを最初に起動する際の表示画面を切り替える切替情報を記憶する切替情報記憶部を備え、
前記セットアップ処理部は、前記汎用ＯＳを起動する際に、前記切替情報記憶部が記憶する前記切替情報に基づいて、前記汎用ＯＳの標準起動画面から専用表示画面に切り替えて表示させる
請求項１に記載の情報処理装置。
【請求項３】
外部記憶装置と接続可能な外部インターフェース部を備え、
前記セットアップ処理部は、前記セットアップ処理を実行する際に必要な情報を、前記外部インターフェース部に接続された前記外部記憶装置から取得する
請求項１又は請求項２に記載の情報処理装置。
【請求項４】
前記セットアップ処理を実行する際に必要な情報には、自装置をネットワークに接続するためのネットワーク設定情報が含まれ、
前記セットアップ処理部は、前記セットアップ処理を実行する際に、前記外部記憶装置から取得した前記ネットワーク設定情報に基づいて、前記ネットワークに接続する
請求項３に記載の情報処理装置。
【請求項５】
前記セットアップ処理部は、前記セットアップ処理を実行する際に、自装置が前記ネットワークに接続されていない状態である場合に、前記ネットワーク設定情報を取得可能な前記外部記憶装置を、前記外部インターフェース部に接続するように指示する表示画面を表示させる
請求項４に記載の情報処理装置。
【請求項６】
前記セットアップ手順には、前記ネットワークを経由して接続可能なネットワーク記憶装置を利用するための設定を行う処理が含まれ、
前記セットアップ処理部は、前記セットアップ手順に基づいて、前記ネットワーク記憶装置を利用するための設定を行う
請求項４又は請求項５に記載の情報処理装置。
【請求項７】
前記セットアップ手順には、自装置を特定用途の専用装置として機能させるためのアプリケーションソフトウェアのインストール処理が含まれ、
前記セットアップ処理部は、前記セットアップ手順に基づいて、前記アプリケーションソフトウェアのインストール処理を実行する
請求項１から請求項６のいずれか一項に記載の情報処理装置。
【請求項８】
前記セットアップ手順には、前記インストール処理によってインストールした前記アプリケーションソフトウェアを保護する機能を有効にするとともに、新たなアプリケーションソフトウェアのインストールを制限する処理が含まれ、
前記セットアップ処理部は、前記セットアップ手順に基づいて、前記アプリケーションソフトウェアを保護する機能を有効にするとともに、前記新たなアプリケーションソフトウェアのインストールを制限する
請求項７に記載の情報処理装置。
【請求項９】
前記セットアップ手順には、前記初期状態の前記汎用ＯＳを起動し、外部との入出力を制御する基本入出力システムの設定を変更するためのパスワードの設定処理が含まれ、
前記セットアップ処理部は、前記セットアップ手順に基づいて、前記パスワードの設定処理を実行し、予め定められた所定のアルゴリズムによりを生成した前記パスワードの初期値を、前記パスワードとして設定する
請求項１から請求項８のいずれか一項に記載の情報処理装置。
【請求項１０】
前記セットアップ手順には、予めインストールされている専用ソフトウェアを、前記セットアップ処理後に前記汎用ＯＳを起動した際に、デスクトップ画面で起動させる設定を行う処理が含まれ、
前記セットアップ処理部は、前記セットアップ手順に基づいて、前記専用ソフトウェアを、前記セットアップ処理後に前記汎用ＯＳを起動した際に、前記デスクトップ画面で起動させる設定を行う
請求項１から請求項９のいずれか一項に記載の情報処理装置。
【請求項１１】
セットアップの手順を記述するセットアップ手順であって、少なくとも汎用ＯＳ（オペレーティングシステム）を使用する際に必要とするユーザアカウント情報を生成するアカウント生成処理を含むセットアップ手順を記憶する手順記憶部を備える情報処理装置のセットアップ方法であって、
セットアップ処理部が、初期状態の前記汎用ＯＳを最初に起動する際に、前記手順記憶部が記憶する前記セットアップ手順を取得する取得ステップと、
前記セットアップ処理部が、前記取得ステップによって取得した前記セットアップ手順に基づいて、前記アカウント生成処理を含む自装置のセットアップ処理を実行するセットアップ処理ステップと
を含むセットアップ方法。
【発明の詳細な説明】
【技術分野】
【０００１】
本発明は、情報処理装置、及びセットアップ方法に関する。
【背景技術】
【０００２】
近年、Ｗｉｎｄｏｗｓ（登録商標）などの汎用ＯＳ（オペレーティングシステム）を搭載した情報処理装置が広く使用されている。このような情報処理装置では、最初に使用する際に、汎用ＯＳの各種初期設定やカスタマイズを行うセットアップを行う必要があり、従来の情報処理装置では、キーボードやマウスなどの入力装置を使用してセットアップを行っていた。
また、入力装置を備えてない情報処理装置に対して、リモート端末を用いてセットアップを行う技術が知られている（例えば、特許文献１を参照）。
【先行技術文献】
【特許文献】
【０００３】
【特許文献１】特開平１０−１０５２７１号公報
【発明の概要】
【発明が解決しようとする課題】
【０００４】
しかしながら、上述した情報処理装置では、セットアップを行う際に、ユーザが入力装置やリモート端末から設定情報を入力する必要があり、セットアップの処理が煩雑であった。
【０００５】
本発明は、上記問題を解決すべくなされたもので、その目的は、セットアップを簡便に行うことができる情報処理装置、及びセットアップ方法を提供することにある。
【課題を解決するための手段】
【０００６】
上記問題を解決するために、本発明の一態様は、セットアップの手順を記述するセットアップ手順であって、少なくとも汎用ＯＳ（オペレーティングシステム）を使用する際に必要とするユーザアカウント情報を生成するアカウント生成処理を含むセットアップ手順を記憶する手順記憶部と、初期状態の前記汎用ＯＳを最初に起動する際に、前記手順記憶部が記憶する前記セットアップ手順に基づいて、前記アカウント生成処理を含む自装置のセットアップ処理を実行するセットアップ処理部とを備える情報処理装置である。
【０００７】
また、本発明の一態様は、上記の情報処理装置において、前記初期状態の前記汎用ＯＳを最初に起動する際の表示画面を切り替える切替情報を記憶する切替情報記憶部を備え、前記セットアップ処理部は、前記汎用ＯＳを起動する際に、前記切替情報記憶部が記憶する前記切替情報に基づいて、前記汎用ＯＳの標準起動画面から専用表示画面に切り替えて表示させるようにしてもよい。
【０００８】
また、本発明の一態様は、上記の情報処理装置において、外部記憶装置と接続可能な外部インターフェース部を備え、前記セットアップ処理部は、前記セットアップ処理を実行する際に必要な情報を、前記外部インターフェース部に接続された前記外部記憶装置から取得するようにしてもよい。
【０００９】
また、本発明の一態様は、上記の情報処理装置において、前記セットアップ処理を実行する際に必要な情報には、自装置をネットワークに接続するためのネットワーク設定情報が含まれ、前記セットアップ処理部は、前記セットアップ処理を実行する際に、前記外部記憶装置から取得した前記ネットワーク設定情報に基づいて、前記ネットワークに接続するようにしてもよい。
【００１０】
また、本発明の一態様は、上記の情報処理装置において、前記セットアップ処理部は、前記セットアップ処理を実行する際に、自装置が前記ネットワークに接続されていない状態である場合に、前記ネットワーク設定情報を取得可能な前記外部記憶装置を、前記外部インターフェース部に接続するように指示する表示画面を表示させるようにしてもよい。
【００１１】
また、本発明の一態様は、上記の情報処理装置において、前記セットアップ手順には、前記ネットワークを経由して接続可能なネットワーク記憶装置を利用するための設定を行う処理が含まれ、前記セットアップ処理部は、前記セットアップ手順に基づいて、前記ネットワーク記憶装置を利用するための設定を行うようにしてもよい。
【００１２】
また、本発明の一態様は、上記の情報処理装置において、前記セットアップ手順には、自装置を特定用途の専用装置として機能させるためのアプリケーションソフトウェアのインストール処理が含まれ、前記セットアップ処理部は、前記セットアップ手順に基づいて、前記アプリケーションソフトウェアのインストール処理を実行するようにしてもよい。
【００１３】
また、本発明の一態様は、上記の情報処理装置において、前記セットアップ手順には、前記インストール処理によってインストールした前記アプリケーションソフトウェアを保護する機能を有効にするとともに、新たなアプリケーションソフトウェアのインストールを制限する処理が含まれ、前記セットアップ処理部は、前記セットアップ手順に基づいて、前記アプリケーションソフトウェアを保護する機能を有効にするとともに、前記新たなアプリケーションソフトウェアのインストールを制限するようにしてもよい。
【００１４】
また、本発明の一態様は、上記の情報処理装置において、前記セットアップ手順には、前記初期状態の前記汎用ＯＳを起動し、外部との入出力を制御する基本入出力システムの設定を変更するためのパスワードの設定処理が含まれ、前記セットアップ処理部は、前記セットアップ手順に基づいて、前記パスワードの設定処理を実行し、予め定められた所定のアルゴリズムによりを生成した前記パスワードの初期値を、前記パスワードとして設定するようにしてもよい。
【００１５】
また、本発明の一態様は、上記の情報処理装置において、前記セットアップ手順には、予めインストールされている専用ソフトウェアを、前記セットアップ処理後に前記汎用ＯＳを起動した際に、デスクトップ画面で起動させる設定を行う処理が含まれ、前記セットアップ処理部は、前記セットアップ手順に基づいて、前記専用ソフトウェアを、前記セットアップ処理後に前記汎用ＯＳを起動した際に、前記デスクトップ画面で起動させる設定を行うようにしてもよい。
【００１６】
また、本発明の一態様は、セットアップの手順を記述するセットアップ手順であって、少なくとも汎用ＯＳ（オペレーティングシステム）を使用する際に必要とするユーザアカウント情報を生成するアカウント生成処理を含むセットアップ手順を記憶する手順記憶部を備える情報処理装置のセットアップ方法であって、セットアップ処理部が、初期状態の前記汎用ＯＳを最初に起動する際に、前記手順記憶部が記憶する前記セットアップ手順を取得する取得ステップと、前記セットアップ処理部が、前記取得ステップによって取得した前記セットアップ手順に基づいて、前記アカウント生成処理を含む自装置のセットアップ処理を実行するセットアップ処理ステップとを含むセットアップ方法である。
【発明の効果】
【００１７】
本発明の上記態様によれば、セットアップを簡便に行うことができる。
【図面の簡単な説明】
【００１８】
【図１】本実施形態による情報処理装置の主要なハードウェア構成の一例を示す図である。
【図２】本実施形態による情報処理装置の機能構成の一例を示すブロック図である。
【図３】本実施形態による情報処理装置のセットアップ処理の一例を示すフローチャートである。
【図４】本実施形態によるセットアップ処理の初期画面の一例を示す図である。
【図５】本実施形態によるセットアップ処理中の表示画面の一例を示す図である。
【図６】本実施形態によるセットアップ処理後のデスクトップ画面の一例を示す図である。
【図７】本実施形態による情報処理装置のセットアップ手順に基づくセットアップ処理の一例を示すフローチャートである。
【発明を実施するための形態】
【００１９】
以下、本発明の一実施形態による情報処理装置、及びセットアップ方法について図面を参照して説明する。
【００２０】
図１は、本実施形態による情報処理装置１の主要なハードウェア構成の一例を示す図である。
情報処理装置１は、例えば、ＩｏＴ（Internet of Things）機器などであり、Ｗｉｎｄｏｗｓ（登録商標）などの汎用ＯＳ（オペレーティングシステム）を用いて、特別な用途の専用機器として使用され、例えば、キーボードやマウス、等の入力装置を備えていない装置である。本実施形態では、情報処理装置１が、ネットワークを利用した会議システムに使用される会議装置である場合の一例について説明する。
【００２１】
図１に示すように、情報処理装置１は、主要なハードウェア構成として、ＣＰＵ１１と、メインメモリ１２と、チップセット２１と、ＢＩＯＳメモリ２２と、ＳＳＤ２３と、ＵＳＢコネクタ２４と、オーディオシステム２５と、マイク２６と、スピーカ２７と、ビデオシステム２８と、ビデオ入出力部２９と、ＷＬＡＮカード３０と、ＥＣ３１と、スイッチ部３２と、電源回路３３と、ＴＰＭ４０とを備える。
【００２２】
ＣＰＵ（Central Processing Unit）１１は、プログラム制御により種々の演算処理を実行し、情報処理装置１全体を制御している。
メインメモリ１２は、ＣＰＵ１１の実行プログラムの読み込み領域として、又は、実行プログラムの処理データを書き込む作業領域として利用される書き込み可能メモリである。メインメモリ１２は、例えば、複数個のＤＲＡＭ（Dynamic Random Access Memory）チップで構成される。この実行プログラムには、ＯＳ、周辺機器類をハードウェア操作するための各種ドライバ、各種サービス／ユーティリティ、アプリケーションプログラム（以下、アプリケーションという）等が含まれる。
【００２３】
チップセット２１は、ＵＳＢ（Universal Serial Bus）、シリアルＡＴＡ（AT Attachment）、ＳＰＩ（Serial Peripheral Interface）バス、ＰＣＩ（Peripheral Component Interconnect）バス、ＰＣＩ−Ｅｘｐｒｅｓｓバス、及びＬＰＣ（Low Pin Count）バスなどのコントローラを備えており複数のデバイスが接続される。図１では、デバイスの例示として、ＢＩＯＳメモリ２２と、ＳＳＤ２３と、ＵＳＢコネクタ２４と、オーディオシステム２５と、ビデオシステム２８と、ＷＬＡＮカード３０と、ＥＣ３１と、ＴＰＭ４０とが、チップセット２１に接続されている。
【００２４】
ＢＩＯＳ（Basic Input Output System：基本入出力システム）メモリ２２は、例えば、ＥＥＰＲＯＭ（Electrically Erasable Programmable Read Only Memory）やフラッシュＲＯＭなどの電気的に書き換え可能な不揮発性メモリで構成される。ＢＩＯＳメモリ２２は、ＢＩＯＳ、及びＥＣ３１などを制御するためのシステムファームウェアなどを記憶する。
【００２５】
ＳＳＤ（Solid State Drive）２３は、ＯＳ、各種ドライバ、各種サービス／ユーティリティ、アプリケーション、及び各種データを記憶する。ＳＳＤ２３は、例えば、ＯＳとして、例えば、Ｗｉｎｄｏｗｓ１０（Ｗｉｎｄｏｗｓは登録商標）等を記憶する。また、ＳＳＤ２３には、会議システムのアプリケーションソフトウェアとして、Ｓｋｙｐｅ  ｆｏｒ  Ｂｕｓｉｎｅｓｓ（Ｓｋｙｐｅは登録商標）、又はＺｏｏｍ（登録商標）などがインストールされる。
【００２６】
ＵＳＢコネクタ２４（外部インターフェース部の一例）は、ＵＳＢを利用した周辺機器類を接続するためのコネクタである。ＵＳＢコネクタ２４に接続される周辺機器は、例えば、キーボード、マウス、ＵＳＢカメラなどである。なお、ＵＳＢコネクタ２４には、情報処理装置１のセットアップ処理において、後述するＵＳＢキーメモリ２（図２）が接続される。
【００２７】
オーディオシステム２５は、音データの記録、再生、出力を行う。オーディオシステム２５は、例えば、接続されたマイク２６から音データを取得し、接続されたスピーカ２７から音データを出力する。
【００２８】
ビデオシステム２８は、画像表示に関連する機能を実現するためのシステムであり、ビデオコントローラを含んでいる。このビデオコントローラは、ＣＰＵ１１からの描画命令を処理し、処理した描画情報をビデオメモリに書き込むとともに、ビデオメモリからこの描画情報を読み出して、ビデオ入出力部２９を介して、表示データとして出力する。また、ビデオシステム２８は、ビデオ入出力部２９を介して、外部からの表示データを取得する。
【００２９】
ビデオ入出力部２９は、例えば、ＨＤＭＩ（High-Definition Multimedia Interface：ＨＤＭＩは登録商標）などの外部入力用、及び外部出力用の表示ポートである、ビデオ入出力部２９は、外部から表示データを取得する場合、及び、外部モニタなどに表示データを表示させる場合に利用される。
【００３０】
ＷＬＡＮ（Wireless Local Area Network）カード３０は、ワイヤレス（無線）ＬＡＮにより、後述するネットワークＮＷ１（図２）に接続して、データ通信を行う。ＷＬＡＮカード３０は、例えば、ネットワークＮＷ１を経由して各種装置（後述するネットワーク記憶装置４、管理サーバ５など）とデータ通信を行う。
【００３１】
ＥＣ（エンベデッドコントローラ）３１は、情報処理装置１のシステム状態に関わらず、各種デバイス（周辺装置やセンサ等）を監視し制御するワンチップマイコン（One-Chip Microcomputer）である。また、ＥＣ３１は、電源回路３３を制御する電源管理機能を有している。なお、ＥＣ３１は、不図示のＣＰＵ、ＲＯＭ、ＲＡＭなどで構成されるとともに、複数チャネルのＡ／Ｄ入力端子、Ｄ／Ａ出力端子、タイマ、及びデジタル入出力端子を備えている。ＥＣ３１には、それらの入出力端子を介して、例えば、スイッチ部３２、及び電源回路３３などが接続されており、ＥＣ３１は、これらの動作を制御する。
【００３２】
スイッチ部３２は、例えば、電源スイッチ、リセットスイッチなどの各種制御スイッチである。
電源回路３３は、例えば、ＤＣ／ＤＣコンバータ、充放電ユニット、電池ユニット、ＡＣ／ＤＣアダプタなどを含んでおり、ＡＣ／ＤＣアダプタ、又は電池ユニットから供給される直流電圧を、情報処理装置１を動作させるために必要な複数の電圧に変換する。また、電源回路３３は、ＥＣ３１からの制御に基づいて、情報処理装置１の各部に電力を供給する。また、電源回路３３は、例えば、スリープモードなどのパワーダウンモード（低消費電力モード）の際に、モードに応じて、部分的に電力の供給を停止する。
【００３３】
ＴＰＭ（Trusted Platform Module）４０は、情報処理装置１を安全に管理するための耐タンパ性を有するセキュリティチップである。ＴＰＭ４０は、例えば、暗号処理のための鍵生成や、認証情報の生成などのセキュリティに関する各種処理を実行する。
【００３４】
また、図２は、本実施形態による情報処理装置１の機能構成の一例を示すブロック図である。
図２に示すように、情報処理装置１は、ＢＩＯＳ５０と、ＯＳ５１と、切替情報記憶部５２と、手順記憶部５３と、セットアップ処理部５４とを備える。なお、図２に示す情報処理装置１の各機能構成は、上述した図１に示す情報処理装置１のハードウェア構成により実現される。また、情報処理装置１は、ハードウェア構成として、チップセット２１と、ＵＳＢコネクタ２４と、ビデオシステム２８と、ビデオ入出力部２９と、ＷＬＡＮカード３０とを備える。
【００３５】
また、情報処理装置１は、セットアップ処理の際に、図２に示すように、ＵＳＢキーメモリ２と、表示装置３と、ネットワーク記憶装置４と、管理サーバ５とに接続される。
ＵＳＢキーメモリ２（外部記憶装置の一例）は、ＵＳＢコネクタ２４を介して情報処理装置１に接続され、セットアップ処理の際に必要とされる各種情報を記憶する。ＵＳＢキーメモリ２の記憶する情報には、例えば、無線ＬＡＮに接続するためのＳＳＩＤ及び暗号化キーなどのネットワーク設定情報、各種アプリケーションソフトウェアをインストールするためのセットアップ情報やライセンスキー、等が含まれる。
【００３６】
表示装置３は、例えば、液晶表示装置であり、情報処理装置１を用いて会議を行う際に、資料等を表示するために使用される。表示装置３は、例えば、ビデオ入出力部２９を介して、情報処理装置１と接続される。表示装置３は、セットアップ処理後に、情報処理装置１を起動すると、デスクトップ画面として、例えば、スケジュール管理用の専用ソフトウェアの表示画面を表示する。
【００３７】
ネットワーク記憶装置４は、例えば、クラウドサーバであり、会議システムにおいて、情報共有に利用する。また、管理サーバ５は、情報処理装置１の各種管理を行うサーバ装置であり、例えば、スケジュール管理用の専用ソフトウェアを提供するとともに、専用ソフトウェアの更新データを供給する。ネットワーク記憶装置４及び管理サーバ５は、例えば、ＷＬＡＮカード３０を用いて、ネットワークＮＷ１を経由して情報処理装置１と接続される。
【００３８】
ＢＩＯＳ５０（基本入出力システムの一例）は、例えば、ＢＩＯＳメモリ２２に記憶されているプログラムをメインメモリ１２に読み込み、ＣＰＵ１１が実行することにより実現される。ＢＩＯＳ５０は、ＯＳ５１を起動するとともに、情報処理装置１の外部との入出力を制御する。ＢＩＯＳ５０は、例えば、設定変更の要求に応じて、情報処理装置１の外部との入出力の設定を変更する。ＢＩＯＳ５０は、ＢＩＯＳ５０の設定を変更するためのパスワード（ＢＩＯＳパスワードＰＷ１）を保持している。ＢＩＯＳ５０は、内部に登録されているＢＩＯＳパスワードＰＷ１と、外部から入力されたパスワードとを照合し、一致する場合に、ＢＩＯＳパスワードＰＷ１を含むＢＩＯＳ５０の各種設定の変更を許可する。
【００３９】
ＯＳ５１は、例えば、Ｗｉｎｄｏｗｓ  ＩｏＴ（Ｗｉｎｄｏｗｓは、登録商標）などの汎用ＯＳである。ＯＳ５１は、例えば、ＳＳＤ２３に記憶されているプログラムをメインメモリ１２に読み込み、ＣＰＵ１１が実行することにより実現される。ＯＳ５１は、汎用ＯＳであるため、情報処理装置１を会議装置（会議のための専用装置）として機能させるために、ＯＳ５１には、会議システムのアプリケーションソフトウェアやスケジュール管理用の専用ソフトウェアなどがインストールされる。
また、ＯＳ５１は、ＯＳ５１を使用する際に必要とするアカウント情報ＡＣ１を保持している。アカウント情報には、例えば、管理者用アカウント情報と、ユーザ用アカウント情報とが含まれる。
【００４０】
切替情報記憶部５２は、例えば、ＳＳＤ２３の一部の領域であり、ＯＳ５１を起動する際の表示画面を切り替える切替情報を記憶する。ここで、切替情報は、例えば、切替フラグであり、情報処理装置１の製造工程において、ＯＳ５１の起動時に、ＯＳ５１の標準起動画面の表示を禁止し、専用表示画面に切り替えるように設定されている。
【００４１】
手順記憶部５３は、例えば、ＳＳＤ２３の一部の領域であり、情報処理装置１のセットアップの手順を記述するセットアップ手順を記憶する。ここで、セットアップは、情報処理装置１が出荷されて、最初に起動された際に実行され、情報処理装置１を会議装置として機能させるための各種設定、及びアプリケーションソフトウェアのインストールなどが実行される。手順記憶部５３には、情報処理装置１の製造工程において、ユーザが使用する情報処理装置１の用途、及びユーザの要求に応じて、カスタマイズされたセットアップ手順が、セットアップ手順ファイルとして記憶される。
例えば、情報処理装置１を会議装置として使用する場に、切替情報記憶部５２は、以下のセットアップ処理を実行させるセットアップ手順を記憶する。
【００４２】
（１）ユーザアカウントの生成処理
（２）クラウド設定処理
（３）専用ソフトの更新処理
（４）会議システム用のアプリケーションのインストール処理
（５）ドライブ暗号化処理
（６）ＢＩＯＳパスワードＰＷ１の設定処理
（７）デバイス保護及びグループポリシーの有効化処理
（８）デスクトップシェルとして、専用ソフトを設定する処理
なお、（１）〜（８）の各セットアップ処理の詳細については後述する。
【００４３】
セットアップ処理部５４は、例えば、ＳＳＤ２３に記憶されているプログラムをメインメモリ１２に読み込み、ＣＰＵ１１が実行することにより実現される。セットアップ処理部５４は、初期状態のＯＳ５１を最初に起動する際に、手順記憶部５３が記憶するセットアップ手順に基づいて、自装置（情報処理装置１）のセットアップ処理を実行する。セットアップ処理部５４は、例えば、上述した（１）〜（８）のセットアップ手順に基づいて、セットアップ処理を実行する。
なお、初期状態のＯＳ５１を最初に起動する際には、出荷後（購入後）のＯＳ５１の状態の他、ＯＳ５１を再インストールした後などに、最初に起動する場合が含まれる。
【００４４】
例えば、セットアップ手順には、上述の（１）に示すように、ユーザアカウント情報（アカウント情報ＡＣ１）を生成するアカウント生成処理が含まれる。セットアップ処理部５４は、セットアップ手順に基づいて、セットアップ処理として、アカウント生成処理を実行する。セットアップ処理部５４は、例えば、予め定められた所定の生成手法により、ユーザアカウント情報（アカウントＩＤ及びパスワード）を自動生成し、生成したユーザアカウント情報をＯＳ５１に登録する。
【００４５】
また、セットアップ手順には、上述の（２）に示すように、ネットワークＮＷ１を経由して接続可能なネットワーク記憶装置４を利用するための設定を行う処理が含まれる。セットアップ処理部５４は、セットアップ手順に基づいて、ネットワーク記憶装置４（クラウドサーバ）を利用するための設定を行う。
【００４６】
また、セットアップ手順には、上述の（３）に示すように、専用ソフトの更新処理が含まれる。ここで、専用ソフトは、例えば、上述したスケジュール管理用の専用ソフトウェアである。セットアップ処理部５４は、セットアップ手順に基づいて、専用ソフトの更新処理を実行する。セットアップ処理部５４は、例えば、ネットワークＮＷ１を経由して、管理サーバ５と接続し、管理サーバ５から更新データを取得して、専用ソフトを更新する。
【００４７】
また、セットアップ手順には、上述の（４）に示すように、自装置を特定用途の専用装置として機能させるためのアプリケーションソフトウェアのインストール処理が含まれる。ここでは、例えば、Ｓｋｙｐｅ  ｆｏｒ  Ｂｕｓｉｎｅｓｓ（Ｓｋｙｐｅは登録商標）などの会議システム用のアプリケーションが、特定用途の専用装置として機能させるためのアプリケーションソフトウェアに対応する。セットアップ処理部５４は、セットアップ手順に基づいて、これらのアプリケーションソフトウェアのインストール処理を実行する。セットアップ処理部５４は、例えば、ＵＳＢキーメモリ２が記憶するセットアップ情報を用いて、インストール処理を実行する。
【００４８】
また、セットアップ手順には、上述の（５）に示すように、ドライブ暗号化処理が含まれる。セットアップ処理部５４は、セットアップ手順に基づいて、ＳＤＤ２３の暗号化処理を実行する。セットアップ処理部５４は、例えば、ＢｉｔＬｏｃｋｅｒ（登録商標）を有効にして、ＳＤＤ２３を暗号化する。
【００４９】
また、セットアップ手順には、上述の（６）に示すように、ＢＩＯＳパスワードＰＷ１の設定処理が含まれる。セットアップ処理部５４は、セットアップ手順に基づいて、ＢＩＯＳパスワードＰＷ１の設定処理を実行する。セットアップ処理部５４は、セットアップ手順に基づいて、予め定められた所定のアルゴリズムによりを生成したパスワードの初期値を、パスワードとして設定する。すなわち、セットアップ処理部５４は、ＢＩＯＳパスワードＰＷ１の初期値を、予め定められた所定の生成アルゴリズムにより自動生成し、生成したＢＩＯＳパスワードＰＷ１の初期値をＢＩＯＳ５０に登録する。
【００５０】
また、セットアップ手順には、上述の（７）に示すように、デバイス保護及びグループポリシーの有効化処理が含まれる。セットアップ処理部５４は、セットアップ手順に基づいて、デバイス保護及びグループポリシーの有効化処理を実行する。すなわち、セットアップ処理部５４は、アプリケーションソフトウェアを保護する機能を有効にするとともに、新たなアプリケーションソフトウェアのインストールを制限する。これにより。セットアップ処理部５４は、インストール済みのソフトウェアの変更、削除を禁止するとともに、新たにソフトウェアをインストールできないようにする。
【００５１】
また、セットアップ手順には、上述の（８）に示すように、デスクトップシェルとして、専用ソフトを設定する処理が含まれる。すなわち、セットアップ手順には、予めインストールされている専用ソフトウェアを、セットアップ処理後にＯＳ５１を起動した際に、デスクトップ画面で起動させる設定を行う処理が含まれる。ここで、専用ソフトは、上述したスケジュール管理用の専用ソフトウェアである。セットアップ処理部５４は、セットアップ手順に基づいて、専用ソフトウェアを、セットアップ処理後にＯＳ５１を起動した際に、デスクトップ画面で起動させる設定を行う。
【００５２】
また、セットアップ処理部５４は、ＯＳ５１を起動する際に、切替情報記憶部５２が記憶する切替情報に基づいて、ＯＳ５１の標準起動画面から専用表示画面に切り替えて、表示装置３に表示させる。すなわち、情報処理装置１は、起動する際に、ＯＳ５１の標準起動画面を表示せずに、専用表示画面を表示する。
【００５３】
また、セットアップ処理部５４は、セットアップ処理を実行する際に必要な情報を、ＵＳＢコネクタ２４に接続されたＵＳＢキーメモリ２から取得する。セットアップ処理を実行する際に必要な情報には、自装置（情報処理装置１）をネットワークＮＷ１に接続するためのネットワーク設定情報（例えば、無線ＬＡＮのＳＳＩＤ及び暗号化キー）が含まれる。セットアップ処理部５４は、セットアップ処理を実行する際に、ＵＳＢキーメモリ２から取得したネットワーク設定情報に基づいて、ネットワークＮＷ１に接続する。
【００５４】
なお、セットアップ処理部５４は、セットアップ処理を実行する際に、自装置がネットワークＮＷ１に接続されていない状態である場合に、ネットワーク設定情報を取得可能なＵＳＢキーメモリ２を、ＵＳＢコネクタ２４に接続するように指示する表示画面を、表示装置３に表示させる。
【００５５】
次に、図面を参照して、本実施形態による情報処理装置１の動作について説明する。
図３は、本実施形態による情報処理装置１のセットアップ処理の一例を示すフローチャートである。なお、ここでは、出荷後の情報処理装置１を最初に起動する際の動作について説明する。
図３に示すように、スイッチ部３２の電源スイッチが押下されると、情報処理装置１は、電源回路３３から各部に電源が供給され、まず、ＢＩＯＳ５０が起動する（ステップＳ１０１）。
【００５６】
次に、ＢＩＯＳ５０は、ＯＳ５１を起動する（ステップＳ１０２）。
次に、情報処理装置１のセットアップ処理部５４は、専用画面に表示を切り替える（ステップＳ１０３）。セットアップ処理部５４は、切替情報記憶部５２から切替情報を取得して、切替情報に基づいて、ＯＳ５１の標準起動画面から図４に示すような専用画面に切り替えて表示させる。なお、切替情報は、出荷時に専用表示画面に切り替えるように設定されているため、セットアップ処理部５４は、専用画面に表示を切り替える。
【００５７】
図４は、本実施形態によるセットアップ処理の初期画面の一例を示す図である。セットアップ処理において、ＯＳ５１の標準起動画面（例えば、Ｗｉｎｄｏｗｓ（登録商標）の起動画面は、表示されずに、図４に示す画面Ｇ１のような初期画面（専用画面）が表示される。
【００５８】
次に、セットアップ処理部５４は、情報処理装置１がネットワークＮＷ１に接続されているか否かを判定する（ステップＳ１０４）。セットアップ処理部５４は、情報処理装置１がネットワークＮＷ１に接続されている場合（ステップＳ１０４：ＹＥＳ）に、処理をステップＳ１０８に進める。また、セットアップ処理部５４は、情報処理装置１がネットワークＮＷ１に接続されていない場合（ステップＳ１０４：ＮＯ）に、処理をステップＳ１０５に進める。
【００５９】
ステップＳ１０５において、セットアップ処理部５４は、ＵＳＢコネクタ２４に、ＵＳＢキーメモリ２が接続されているか否かを判定する。セットアップ処理部５４は、ＵＳＢコネクタ２４に、ＵＳＢキーメモリ２が接続されている場合（ステップＳ１０５：ＹＥＳ）に、処理をステップＳ１０７に進める。また、セットアップ処理部５４は、ＵＳＢコネクタ２４に、ＵＳＢキーメモリ２が接続されていない場合（ステップＳ１０５：ＮＯ）に、処理をステップＳ１０６に進める。
【００６０】
ステップＳ１０６において、セットアップ処理部５４は、ＵＳＢキーメモリ２の接続指示（例えば、「ＵＳＢキーメモリを接続して下さい。」など）のＵＳＢキーメモリ２の接続を促すメッセージを、表示装置３に表示させる。ステップＳ１０６の処理後に、セットアップ処理部５４は、処理をステップＳ１０４に戻す。
【００６１】
また、ステップＳ１０７において、セットアップ処理部５４は、ＵＳＢキーメモリ２からネットワーク設定情報を取得して、情報処理装置１をネットワークＮＷ１に接続させる。すなわち、セットアップ処理部５４は、無線ＬＡＮのＳＳＩＤ及び暗号化キーをＵＳＢキーメモリ２から取得して、これらの情報をＷＬＡＮカード３０に設定することで、情報処理装置１をネットワークＮＷ１に接続させる。
【００６２】
次に、ステップＳ１０８において、セットアップ処理部５４は、セットアップ手順を取得する。すなわち、セットアップ処理部５４は、手順記憶部５３に予め記憶されているセットアップ手順を順番に取得する。
【００６３】
次に、セットアップ処理部５４は、ＵＳＢキーメモリ２から情報を取得する必要があるか否かを判定する（ステップＳ１０９）。セットアップ処理部５４は、セットアップ手順に基づくセットアップ処理を実行する際に必要な情報があるか否かを判定する。セットアップ処理部５４は、ＵＳＢキーメモリ２から情報を取得する必要がある場合（ステップＳ１０９：ＹＥＳ）に、処理をステップＳ１１０に進める。セットアップ処理部５４は、ＵＳＢキーメモリ２から情報を取得する必要がない場合（ステップＳ１０９：ＮＯ）に、処理をステップＳ１１１に進める。
【００６４】
ステップＳ１１０において、セットアップ処理部５４は、ＵＳＢキーメモリ２から情報を取得する。セットアップ処理部５４は、セットアップ処理に必要な情報（例えば、各種アプリケーションソフトウェアをインストールするためのセットアップ情報やライセンスキーなど）をＵＳＢキーメモリ２から取得する。
【００６５】
次に、ステップＳ１１１において、セットアップ処理部５４は、セットアップ手順に基づいてセットアップ処理を実行する。すなわち、セットアップ処理部５４は、上述した（１）〜（８）のようなセットアップ処理を実行する。
【００６６】
次に、セットアップ処理部５４は、次のセットアップ手順があるか否かを判定する（ステップＳ１１２）。セットアップ処理部５４は、手順記憶部５３に次に実行するセットアップ手順があるか否かを判定する。セットアップ処理部５４は、次のセットアップ手順がある場合（ステップＳ１１２：ＹＥＳ）に処理をステップＳ１０８に戻して、ステップＳ１０８からステップＳ１１２までの処理を繰り返す。また、セットアップ処理部５４は、次のセットアップ手順がない場合（ステップＳ１１２：ＮＯ）に処理をステップＳ１１３に進める。
【００６７】
なお、ステップＳ１０８からステップＳ１１２までの処理の間、セットアップ処理部５４は、図５に示すような表示画面Ｇ２を、表示装置３に表示させる。
図５は、本実施形態によるセットアップ処理中の表示画面の一例を示す図である。
図５に示すように、セットアップ処理中には、画面Ｇ２のようなウェイト画面（専用画面）が表示される。
【００６８】
また、ステップＳ１１３において、セットアップ処理部５４は、情報処理装置１のリブート処理（再起動処理）を実行して、セットアップ処理を終了する。
なお、情報処理装置１は、セットアップ処理後に、デスクトップ画面に、図６に示すようなスケジュール管理の専用ソフトの画面Ｇ３を、表示装置３に表示させる。
【００６９】
図６は、本実施形態によるセットアップ処理後のデスクトップ画面の一例を示す図である。情報処理装置１は、セットアップ処理後に起動された場合に、切替情報記憶部５２が記憶する切替情報に基づいて、ＯＳ５１の標準起動画面を表示させずに、画面Ｇ３のような専用ソフトの表示画面を、デスクトップ画面として、表示装置３に表示させる。
【００７０】
また、図７は、本実施形態による情報処理装置１のセットアップ手順に基づくセットアップ処理の一例を示すフローチャートである。
図７に示す例は、上述した（１）〜（８）のセットアップ手順に基づいて、図３におけるステップＳ１０８からステップＳ１１２までの繰り返しのセットアップ処理を実行した場合を示している。
【００７１】
図７に示すように、（１）〜（８）のセットアップ手順に基づいて、セットアップ処理部５４は、まず、セットアップ処理として、ユーザアカウントの生成処理を実行する（ステップＳ２０１）。セットアップ処理部５４は、例えば、予め定められた所定の生成手法により、ユーザアカウント情報（アカウントＩＤ及びパスワード）を自動生成し、生成したユーザアカウント情報をＯＳ５１に登録する。
【００７２】
次に、セットアップ処理部５４は、セットアップ処理として、クラウド設定処理を実行する（ステップＳ２０２）。セットアップ処理部５４は、例えば、ＴＰＭ４０によるセキュリティ機能を利用して、ネットワーク記憶装置４（クラウドサーバ）を利用するための設定を行う。
【００７３】
次に、セットアップ処理部５４は、セットアップ処理として、専用ソフトの更新処理を実行する（ステップＳ２０３）。セットアップ処理部５４は、例えば、ネットワークＮＷ１を経由して、管理サーバ５と接続し、管理サーバ５から更新データを取得して、専用ソフトを更新する。
【００７４】
次に、セットアップ処理部５４は、セットアップ処理として、会議システム用のアプリケーションのインストール処理を実行する（ステップＳ２０４）。セットアップ処理部５４は、例えば、ＵＳＢキーメモリ２が記憶するＳｋｙｐｅ  ｆｏｒ  Ｂｕｓｉｎｅｓｓ（Ｓｋｙｐｅは登録商標）のセットアップ情報を取得し、取得したセットアップ情報を用いて、インストール処理を実行する。これにより、情報処理装置１は、会議装置として機能する。
【００７５】
次に、セットアップ処理部５４は、セットアップ処理として、ドライブ暗号化処理を実行する（ステップＳ２０５）。セットアップ処理部５４は、例えば、ＢｉｔＬｏｃｋｅｒ（登録商標）を有効にして、ＳＤＤ２３を暗号化する。
【００７６】
次に、セットアップ処理部５４は、セットアップ処理として、ＢＩＯＳパスワードＰＷ１の設定処理を実行する（ステップＳ２０６）。セットアップ処理部５４は、ＢＩＯＳパスワードＰＷ１の初期値を、予め定められた所定の生成アルゴリズムにより自動生成し、生成したＢＩＯＳパスワードＰＷ１の初期値をＢＩＯＳ５０に登録する。
【００７７】
次に、セットアップ処理部５４は、セットアップ処理として、デバイス保護及びグループポリシーの有効化処理を実行する（ステップＳ２０７）。すなわち、セットアップ処理部５４は、アプリケーションソフトウェアを保護する機能を有効にするとともに、新たなアプリケーションソフトウェアのインストールを制限する。これにより。セットアップ処理部５４は、インストール済みのソフトウェアの変更、削除を禁止するとともに、新たにソフトウェアをインストールできないようにする。
【００７８】
次に、セットアップ処理部５４は、セットアップ処理として、デスクトップシェルとして、専用ソフトの設定処理を実行する（ステップＳ２０８）。セットアップ処理部５４は、スケジュール管理用の専用ソフトウェアを、セットアップ処理後にＯＳ５１を起動した際に、デスクトップ画面で起動させる設定を行う。これにより、情報処理装置１は、セットアップ処理後に、デスクトップ画面に、図６に示すようなスケジュール管理の専用ソフトの画面Ｇ３を、表示装置３に表示するようになる。ステップＳ２０８の処理後に、セットアップ処理部５４は、セットアップ処理を終了する。
【００７９】
以上説明したように、本実施形態による情報処理装置１は、手順記憶部５３と、セットアップ処理部５４とを備える。手順記憶部５３は、セットアップの手順を記述するセットアップ手順であって、少なくともＯＳ５１（汎用ＯＳ）を使用する際に必要とするユーザアカウント情報を生成するアカウント生成処理を含むセットアップ手順を記憶する。セットアップ処理部５４は、初期状態のＯＳ５１を最初に起動する際に、手順記憶部５３が記憶するセットアップ手順に基づいて、アカウント生成処理を含む自装置のセットアップ処理を実行する。
【００８０】
これにより、本実施形態による情報処理装置１は、セットアップの手順に基づいて、ユーザが入力装置を用いて設定情報を入力する必要なしに、セットアップを行うことができるため、セットアップを簡便に行うことができる。また、本実施形態による情報処理装置１は、アカウント生成処理を自動で行うことができるため、さらに簡便性を高めることができる。本実施形態による情報処理装置１は、ユーザによる設定情報の入力なしに、ほぼ全てのセットアップを自動で行うことができる。
【００８１】
また、本実施形態による情報処理装置１は、初期状態のＯＳ５１（汎用ＯＳ）を最初に起動する際の表示画面を切り替える切替情報を記憶する切替情報記憶部５２を備える。セットアップ処理部５４は、ＯＳ５１を起動する際に、切替情報記憶部５２が記憶する切替情報に基づいて、ＯＳ５１の標準起動画面から専用表示画面に切り替えて表示させる。
これにより、本実施形態による情報処理装置１は、ＯＳ５１（汎用ＯＳ）を使用しつつ、ＯＳ５１を使用していることを意識させずに、専用表示画面を表示できるため、汎用ＯＳにより容易に専用装置として機能させることができる。
【００８２】
また、本実施形態による情報処理装置１は、ＵＳＢキーメモリ２（外部記憶装置）と接続可能なＵＳＢコネクタ２４（外部インターフェース部）を備える。セットアップ処理部５４は、セットアップ処理を実行する際に必要な情報を、ＵＳＢコネクタ２４に接続されたＵＳＢキーメモリ２から取得する。
これにより、本実施形態による情報処理装置１は、ＵＳＢキーメモリ２（外部記憶装置）を利用することで、ユーザが入力装置を用いて設定情報を入力する必要なしに、さらに簡便に行うことができる。
【００８３】
また、本実施形態では、セットアップ処理を実行する際に必要な情報には、自装置をネットワークＮＷ１に接続するためのネットワーク設定情報（例えば、ＳＳＩＤ及び暗号化キーなど）が含まれる。セットアップ処理部５４は、セットアップ処理を実行する際に、ＵＳＢキーメモリ２から取得したネットワーク設定情報に基づいて、ネットワークＮＷ１に接続する。
これにより、本実施形態による情報処理装置１は、セットアップの際に、自動でネットワークＮＷ１に接続することができ、さらに簡便性を高めることができる。
【００８４】
また、本実施形態では、セットアップ処理部５４は、セットアップ処理を実行する際に、自装置（情報処理装置１）がネットワークＮＷ１に接続されていない状態である場合に、ネットワーク設定情報を取得可能なＵＳＢキーメモリ２を、ＵＳＢコネクタ２４に接続するように指示する表示画面を表示させる。
これにより、本実施形態による情報処理装置１は、確実にネットワークＮＷ１に接続することができ、ネットワークＮＷ１を利用したセットアップ処理を行うことができる。よって、本実施形態による情報処理装置１は、ネットワークＮＷ１を利用して、効率よくセットアップ処理を行うことができる。
【００８５】
また、本実施形態では、セットアップ手順には、ネットワークＮＷ１を経由して接続可能なネットワーク記憶装置４を利用するための設定を行う処理が含まれる。セットアップ処理部５４は、セットアップ手順に基づいて、ネットワーク記憶装置４を利用するための設定を行う。
これにより、本実施形態による情報処理装置１は、例えば、クラウド環境などを利用する用途に用いる場合であっても、セットアップ処理を自動で行うことができる。
【００８６】
また、本実施形態では、セットアップ手順には、自装置（情報処理装置１）を特定用途の専用装置（例えば、会議装置）として機能させるためのアプリケーションソフトウェア（例えば、会議用ソフトウェアなど）のインストール処理が含まれる。セットアップ処理部５４は、セットアップ手順に基づいて、アプリケーションソフトウェアのインストール処理を実行する。
これにより、本実施形態による情報処理装置１は、アプリケーションソフトウェアのインストール処理を自動で行うことができるため、セットアップ処理をさらに簡便に行うことができる。
【００８７】
また、本実施形態では、セットアップ手順には、インストール処理によってインストールしたアプリケーションソフトウェアを保護する機能を有効にするとともに、新たなアプリケーションソフトウェアのインストールを制限する処理が含まれる。セットアップ処理部５４は、セットアップ手順に基づいて、アプリケーションソフトウェアを保護する機能を有効にするとともに、新たなアプリケーションソフトウェアのインストールを制限する。
【００８８】
これにより、本実施形態による情報処理装置１は、アプリケーションソフトウェアの追加、及び変更が制限されるため、改ざんや悪用される可能性を低減でき、汎用ＯＳを用いて、容易に特定用途の専用装置（例えば、会議装置）を実現することができる。本実施形態による情報処理装置１は、ユーザの意図しないＯＳ５１の操作をブロックすることができる。
【００８９】
また、本実施形態では、セットアップ手順には、ＯＳ５１（汎用ＯＳ）を起動し、外部との入出力を制御するＢＩＯＳ５０（基本入出力システム）の設定を変更するためのパスワード（例えば、ＢＩＯＳパスワードＰＷ１）の設定処理が含まれる。セットアップ処理部５４は、セットアップ手順に基づいて、ＢＩＯＳパスワードＰＷ１の設定処理を実行し、予め定められた所定のアルゴリズムによりを生成したＢＩＯＳパスワードＰＷ１の初期値を、ＢＩＯＳパスワードＰＷ１として設定する。
【００９０】
これにより、本実施形態による情報処理装置１は、ＢＩＯＳパスワードＰＷ１の生成を自動で行うことができるため、さらに簡便性を高めることができる。また、本実施形態による情報処理装置１は、ＢＩＯＳ５０（基本入出力システム）を保護することができるため、安全性を高めることができる。
【００９１】
また、本実施形態では、セットアップ手順には、予めインストールされている専用ソフトウェアを、セットアップ処理後にＯＳ５１（汎用ＯＳ）を起動した際に、デスクトップ画面で起動させる設定を行う処理が含まれる。セットアップ処理部５４は、セットアップ手順に基づいて、専用ソフトウェアを、セットアップ処理後にＯＳ５１を起動した際に、デスクトップ画面で起動させる設定を行う。
これにより、本実施形態による情報処理装置１では、図６に示すように、専用ソフトの画面Ｇ３が自動で表示されるため、汎用ＯＳを用いて、容易に特定用途の専用装置（例えば、会議装置）を実現することができる。
【００９２】
また、本実施形態によるセットアップ方法は、セットアップの手順を記述するセットアップ手順であって、少なくともＯＳ５１（汎用ＯＳ）を使用する際に必要とするユーザアカウント情報を生成するアカウント生成処理を含むセットアップ手順を記憶する手順記憶部５３を備える情報処理装置１のセットアップ方法であって、取得ステップと、セットアップ処理ステップとを含む。取得ステップにおいて、セットアップ処理部５４が、初期状態のＯＳ５１を最初に起動する際に、手順記憶部５３が記憶するセットアップ手順を取得する。セットアップ処理ステップにおいて、セットアップ処理部５４が、取得ステップによって取得したセットアップ手順に基づいて、アカウント生成処理を含む自装置（情報処理装置１）のセットアップ処理を実行する。
これにより、本実施形態によるセットアップ方法は、上述した情報処理装置１と同様の効果を奏し、セットアップを簡便に行うことができる。
【００９３】
なお、本発明は、上記の実施形態に限定されるものではなく、本発明の趣旨を逸脱しない範囲で変更可能である。
例えば、上記の実施形態において、情報処理装置１の一例として、会議装置である例を説明たが、これに限定されるものではない。情報処理装置１は、他の用途の専用装置であってもよく、例えば、ＩｏＴ機器などであってもよい。
【００９４】
また、上記の実施形態において、情報処理装置１のＯＳ５１が、Ｗｉｎｄｏｗｓ  ＩｏＴ（Ｗｉｎｄｏｗｓは登録商標）である例を説明したが、他の汎用ＯＳであってもよい。
また、上記の実施形態において、セットアップ処理の際に、ＵＳＢキーメモリ２を情報処理装置１に接続する例を説明したが、これに限定されるものではなく、例えば、ＵＳＢキーメモリ２からの設定情報の取得が不要な場合には、ＵＳＢキーメモリ２を情報処理装置１に接続しなくてもよい。
【００９５】
また、上記の実施形態において、情報処理装置１は、無線ＬＡＮにより、ネットワークＮＷ１と接続する例を説明したが、有線ＬＡＮによりネットワークＮＷ１に接続するようにしてもよい。
【００９６】
なお、上述した情報処理装置１が備える各構成は、内部に、コンピュータシステムを有している。そして、上述した情報処理装置１が備える各構成の機能を実現するためのプログラムをコンピュータ読み取り可能な記録媒体に記録して、この記録媒体に記録されたプログラムをコンピュータシステムに読み込ませ、実行することにより上述した情報処理装置１が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【００９７】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後に情報処理装置１が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【００９８】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【００９９】
１  情報処理装置
２  ＵＳＢキーメモリ
３  表示装置
４  ネットワーク記憶装置
５  管理サーバ
１１  ＣＰＵ
１２  メインメモリ
２１  チップセット
２２  ＢＩＯＳメモリ
２３  ＳＳＤ
２４  ＵＳＢコネクタ
２５  オーディオシステム
２６  マイク
２７  スピーカ
２８  ビデオシステム
２９  ビデオ入出力部
３０  ＷＬＡＮカード
３１  ＥＣ
３２  スイッチ部
３３  電源回路
４０  ＴＰＭ
５０  ＢＩＯＳ
５１  ＯＳ
５２  切替情報記憶部
５３  手順記憶部
５４  セットアップ処理部
【図１】
2020113127.tif 000003
【図２】
2020113127.tif 000004
【図３】
2020113127.tif 000005
【図４】
2020113127.tif 000006
【図５】
2020113127.tif 000007
【図６】
2020113127.tif 000008
【図７】
2020113127.tif 000009
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
セットアップの手順を記述するセットアップ手順であって、少なくとも汎用ＯＳ（オペレーティングシステム）を使用する際に必要とするユーザアカウント情報を生成するアカウント生成処理を含むセットアップ手順を記憶する手順記憶部と、
初期状態の前記汎用ＯＳを最初に起動する際に、前記手順記憶部が記憶する前記セットアップ手順に基づいて、前記アカウント生成処理を含む自装置のセットアップ処理を実行するセットアップ処理部と、
前記初期状態の前記汎用ＯＳを最初に起動する際の表示画面を切り替える切替情報を記憶する切替情報記憶部と
を備え、
前記セットアップ処理部は、前記汎用ＯＳを起動する際に、前記切替情報記憶部が記憶する前記切替情報に基づいて、前記汎用ＯＳの標準起動画面から専用表示画面に切り替えて表示させる
情報処理装置。
【請求項２】
外部記憶装置と接続可能な外部インターフェース部を備え、
前記セットアップ処理部は、前記セットアップ処理を実行する際に必要な情報を、前記外部インターフェース部に接続された前記外部記憶装置から取得する
請求項１に記載の情報処理装置。
【請求項３】
前記セットアップ処理を実行する際に必要な情報には、自装置をネットワークに接続するためのネットワーク設定情報が含まれ、
前記セットアップ処理部は、前記セットアップ処理を実行する際に、前記外部記憶装置から取得した前記ネットワーク設定情報に基づいて、前記ネットワークに接続する
請求項２に記載の情報処理装置。
【請求項４】
前記セットアップ処理部は、前記セットアップ処理を実行する際に、自装置が前記ネットワークに接続されていない状態である場合に、前記ネットワーク設定情報を取得可能な前記外部記憶装置を、前記外部インターフェース部に接続するように指示する表示画面を表示させる
請求項３に記載の情報処理装置。
【請求項５】
前記セットアップ手順には、前記ネットワークを経由して接続可能なネットワーク記憶装置を利用するための設定を行う処理が含まれ、
前記セットアップ処理部は、前記セットアップ手順に基づいて、前記ネットワーク記憶装置を利用するための設定を行う
請求項３又は請求項４に記載の情報処理装置。
【請求項６】
前記セットアップ手順には、自装置を特定用途の専用装置として機能させるためのアプリケーションソフトウェアのインストール処理が含まれ、
前記セットアップ処理部は、前記セットアップ手順に基づいて、前記アプリケーションソフトウェアのインストール処理を実行する
請求項１から請求項５のいずれか一項に記載の情報処理装置。
【請求項７】
前記セットアップ手順には、前記インストール処理によってインストールした前記アプリケーションソフトウェアを保護する機能を有効にするとともに、新たなアプリケーションソフトウェアのインストールを制限する処理が含まれ、
前記セットアップ処理部は、前記セットアップ手順に基づいて、前記アプリケーションソフトウェアを保護する機能を有効にするとともに、前記新たなアプリケーションソフトウェアのインストールを制限する
請求項６に記載の情報処理装置。
【請求項８】
前記セットアップ手順には、前記初期状態の前記汎用ＯＳを起動し、外部との入出力を制御する基本入出力システムの設定を変更するためのパスワードの設定処理が含まれ、
前記セットアップ処理部は、前記セットアップ手順に基づいて、前記パスワードの設定処理を実行し、予め定められた所定のアルゴリズムによりを生成した前記パスワードの初期値を、前記パスワードとして設定する
請求項１から請求項７のいずれか一項に記載の情報処理装置。
【請求項９】
前記セットアップ手順には、予めインストールされている専用ソフトウェアを、前記セットアップ処理後に前記汎用ＯＳを起動した際に、デスクトップ画面で起動させる設定を行う処理が含まれ、
前記セットアップ処理部は、前記セットアップ手順に基づいて、前記専用ソフトウェアを、前記セットアップ処理後に前記汎用ＯＳを起動した際に、前記デスクトップ画面で起動させる設定を行う
請求項１から請求項８のいずれか一項に記載の情報処理装置。
【請求項１０】
セットアップの手順を記述するセットアップ手順であって、少なくとも汎用ＯＳ（オペレーティングシステム）を使用する際に必要とするユーザアカウント情報を生成するアカウント生成処理を含むセットアップ手順を記憶する手順記憶部と、初期状態の前記汎用ＯＳを最初に起動する際の表示画面を切り替える切替情報を記憶する切替情報記憶部とを備える情報処理装置のセットアップ方法であって、
セットアップ処理部が、前記初期状態の前記汎用ＯＳを最初に起動する際に、前記手順記憶部が記憶する前記セットアップ手順を取得する取得ステップと、
前記セットアップ処理部が、前記取得ステップによって取得した前記セットアップ手順に基づいて、前記アカウント生成処理を含む自装置のセットアップ処理を実行するセットアップ処理ステップと
を含み、
前記セットアップ処理ステップにおいて、前記セットアップ処理部が、前記汎用ＯＳを起動する際に、前記切替情報記憶部が記憶する前記切替情報に基づいて、前記汎用ＯＳの標準起動画面から専用表示画面に切り替えて表示させる
セットアップ方法。
【手続補正２】
【補正対象書類名】明細書
【補正対象項目名】０００６
【補正方法】変更
【補正の内容】
【０００６】
上記問題を解決するために、本発明の一態様は、セットアップの手順を記述するセットアップ手順であって、少なくとも汎用ＯＳ（オペレーティングシステム）を使用する際に必要とするユーザアカウント情報を生成するアカウント生成処理を含むセットアップ手順を記憶する手順記憶部と、初期状態の前記汎用ＯＳを最初に起動する際に、前記手順記憶部が記憶する前記セットアップ手順に基づいて、前記アカウント生成処理を含む自装置のセットアップ処理を実行するセットアップ処理部と、前記初期状態の前記汎用ＯＳを最初に起動する際の表示画面を切り替える切替情報を記憶する切替情報記憶部とを備え、前記セットアップ処理部は、前記汎用ＯＳを起動する際に、前記切替情報記憶部が記憶する前記切替情報に基づいて、前記汎用ＯＳの標準起動画面から専用表示画面に切り替えて表示させる情報処理装置である。
【手続補正３】
【補正対象書類名】明細書
【補正対象項目名】０００７
【補正方法】削除
【補正の内容】
【手続補正４】
【補正対象書類名】明細書
【補正対象項目名】００１６
【補正方法】変更
【補正の内容】
【００１６】
また、本発明の一態様は、セットアップの手順を記述するセットアップ手順であって、少なくとも汎用ＯＳ（オペレーティングシステム）を使用する際に必要とするユーザアカウント情報を生成するアカウント生成処理を含むセットアップ手順を記憶する手順記憶部と、初期状態の前記汎用ＯＳを最初に起動する際の表示画面を切り替える切替情報を記憶する切替情報記憶部とを備える情報処理装置のセットアップ方法であって、セットアップ処理部が、前記初期状態の前記汎用ＯＳを最初に起動する際に、前記手順記憶部が記憶する前記セットアップ手順を取得する取得ステップと、前記セットアップ処理部が、前記取得ステップによって取得した前記セットアップ手順に基づいて、前記アカウント生成処理を含む自装置のセットアップ処理を実行するセットアップ処理ステップとを含み、前記セットアップ処理ステップにおいて、前記セットアップ処理部が、前記汎用ＯＳを起動する際に、前記切替情報記憶部が記憶する前記切替情報に基づいて、前記汎用ＯＳの標準起動画面から専用表示画面に切り替えて表示させるセットアップ方法である。